(57)【要約】【課題】  シャッタユニットの動きに制約を与えないレンズ鏡筒を提供する。【解決手段】  シャッタユニット７１がレンズ鏡筒２の中心軸Ｊ２まわりに回転する時にはシャッタフレキシブルプリント基板７２の７２ｅ部が撓むことにより回転方向距離を吸収し、シャッタユニット７１が直進筒６７に対して光軸方向に直進移動する時にはシャッタフレキシブルプリント基板７２の７２ｂ部が撓むことにより直進方向距離を吸収する。これによって、シャッタ用フレキシブルプリント基板がねじれやたるみなく支持される構成を達成する。【選択図】  図２５
2005326631.tif 000002
【特許請求の範囲】
【請求項１】
撮影光学系を保持するレンズ鏡筒において、
シャッタ羽根を有するシャッタユニットと、
レンズ鏡筒内で前記シャッタユニットを撮影光軸方向に直進動作及び撮影光軸と平行の軸まわりに回転動作させるシャッタユニット駆動機構と、
前記シャッタユニットに設けられたシャッタ駆動用アクチュエータとレンズ鏡筒外部の駆動回路を接続するものであって、撮影光軸方向の直進動作時に移動距離を吸収するための第１の撓む部分と、撮影光軸と平行の軸まわりの回転動作時に回転方向距離を吸収するための第２の撓む部分を有するフレキシブルプリント基板と
を備えることを特徴とするレンズ鏡筒。
【請求項２】
請求項１記載のレンズ鏡筒において、
レンズ鏡筒は収納位置とズーム撮影領域を有し、前記シャッタユニット駆動機構は収納位置からズーム撮影領域までの間は前記シャッタユニットを直進動作及び前記回転動作させ、ズーム撮影領域は前記シャッタユニットを直進動作させる構成となっていることを特徴とするレンズ鏡筒。
【請求項３】
請求項１または２記載のレンズ鏡筒において、
前記フレキシブルプリント基板に設けた前記第１の撓む部分と前記第２の撓む部分の中間部分が、前記シャッタユニットに対して相対的に回転方向の動作を規制するレンズ鏡筒内に設けられた直進規制部材に固定されることを特徴とするレンズ鏡筒。
【発明の詳細な説明】
【技術分野】
【０００１】
本発明は、シャッタユニットを移動可能に保持するレンズ鏡筒に関する。
【背景技術】
【０００２】
レンズ鏡筒内に設けたシャッタ羽根を有するシャッタユニットとボディ本体に設けられたシャッタ羽根駆動制御回路とは、信号伝達用のフレキシブルプリント基板により接続される。シャッタユニットが撮影光軸方向に移動する場合、シャッタ用フレキシブルプリント基板は光軸方向への移動に対応する長さを有しており、かつたるみが生じないように支持されている。
【０００３】
また、シャッタ用フレキシブルプリント基板のレンズ鏡筒中心軸まわりの周方向への移動に対しては断線や他の鏡筒構成部材との干渉などの問題点があるため、シャッタユニットは特許文献１のように回転しない部材、例えば撮影光軸方向に直進案内される部材に支持されるように構成されている。
【特許文献１】特開２００３−１４００２２号公報
【発明の開示】
【発明が解決しようとする課題】
【０００４】
レンズ鏡筒の薄型化や小型化の観点からシャッタユニットをレンズ鏡筒内で回転させようとすると、シャッタ用フレキシブルプリント基板がシャッタユニットと共に回転し、上述のように断線や他の鏡筒構成部材との干渉などの問題点が発生する。逆にいえば、シャッタユニットをレンズ鏡筒内で直進案内するという制約によってレンズ鏡筒の薄型化や小型化が阻害されるという問題がある。
【０００５】
本発明は、上記課題に鑑み、シャッタユニットがレンズ鏡筒内で回転移動および撮影光軸方向に直進移動をしても、シャッタ用フレキシブルプリント基板がねじれやたるみなく支持される構成を達成することを目的とする。
【課題を解決するための手段】
【０００６】
請求項１に記載のレンズ鏡筒の発明は、撮影光学系を保持するレンズ鏡筒において、シャッタ羽根を有するシャッタユニットと、レンズ鏡筒内で前記シャッタユニットを撮影光軸方向に直進動作及び撮影光軸と平行の軸まわりに回転動作させるシャッタユニット駆動機構と、前記シャッタユニットに設けられたシャッタ駆動用アクチュエータとレンズ鏡筒外部の駆動回路を接続するものであって、撮影光軸方向の直進動作時に移動距離を吸収するための第１の撓む部分と、撮影光軸と平行の軸まわりの回転動作時に回転方向距離を吸収するための第２の撓む部分を有するフレキシブルプリント基板とを備えることを特徴とする。
【０００７】
請求項２に記載のレンズ鏡筒の発明は、請求項１記載のレンズ鏡筒において、レンズ鏡筒は収納位置とズーム撮影領域を有し、前記シャッタユニット駆動機構は収納位置からズーム撮影領域までの間は前記シャッタユニットを直進動作及び前記回転動作させ、ズーム撮影領域は前記シャッタユニットを直進動作させる構成となっていることを特徴とする。
【０００８】
請求項３に記載のレンズ鏡筒の発明は、請求項１または２記載のレンズ鏡筒において、前記フレキシブルプリント基板に設けた前記第１の撓む部分と前記第２の撓む部分の中間部分が、前記シャッタユニットに対して相対的に回転方向の動作を規制するレンズ鏡筒内に設けられた直進規制部材に固定されることを特徴とする。
【発明の効果】
【０００９】
請求項１に記載の発明によれば、シャッタユニットがレンズ鏡筒内で回転移動および撮影光軸方向に直進移動をしても、シャッタ用フレキシブルプリント基板がねじれやたるみなく支持されることができ、断線や他の鏡筒部材との干渉を防止することができる。
【００１０】
請求項２に記載の発明によれば、従来許容されていなかったシャッタユニットの回転動作を許容することにより、収納状態でのレンズ鏡筒の薄型化や小型化が可能となる。
【００１１】
請求項３に記載の発明によれば、直進動作時のフレキシブルプリント基板の撓む部分と回転動作時のフレキシブルプリント基板の撓む部分とがはっきりと区分けできるため、フレキシブルプリント基板の折り畳み動作がスムーズに行える。
【発明を実施するための最良の形態】
【００１２】
図１ないし図２９について本実施形態のレンズ鏡筒の全体構成を説明する。この実施形態はデジタルカメラ用のズームレンズ鏡筒に本発明を適用したものである。
【００１３】
図１に広角側の撮影位置におけるレンズ鏡筒２の断面図を示す。撮影光学系は被写体側から順に第１レンズ群３１、第２レンズ群３２、第３レンズ群３３、ローパスフィルタ３４、ＣＣＤ（撮像デバイス）３５からなっている。撮影光学系の光軸はＪ１である。撮影光軸Ｊ１はレンズ鏡筒の中心軸Ｊ２と平行であり、中心軸Ｊ２とは偏心している。ズーミングは第１レンズ群３１と第２レンズ群３２を撮影光軸Ｊ１方向にそれぞれ移動させることにより行い、フォーカシングは第３レンズ群３３を撮影光軸Ｊ１方向に移動させることによって行う。被写体側から第１レンズ群３１、第２レンズ群３２、第３レンズ群３３を通った光束はローパスフィルタ３４を通ってＣＣＤ３５に導かれる。なお、以下の説明中で「光軸方向」という記載は、特に断りがなければ撮影光軸Ｊ１と平行の方向を意味するものとする。
【００１４】
固定筒６１はボディ本体１に固定されており、固定筒６１の後方にはＣＣＤホルダ２１が固定筒６１の開口を覆うように固定されている。ＣＣＤホルダ２１にはＣＣＤ３５前方の開口部２１ａにローパスフィルタ３４が接着支持されている。また、ＣＣＤ３５は放熱板２２と一体支持されておりＣＣＤ３５はその放熱板２２を介してＣＣＤホルダ２１に固定されている。放熱板２２後方にはＣＣＤ３５で生成した電気信号を転送するためのＣＣＤ用フレキシブルプリント基板２３が配置される。
【００１５】
フォーカシングを行う第３レンズ群３３と第３レンズ群を駆動するフォーカス駆動機構３はＣＣＤホルダ２１に対して組込まれている。図２にフォーカス駆動機構３の断面図を示す。第３レンズ群３３を支持する第３レンズ枠４１はＣＣＤホルダ２１に設けられた一対のガイド軸Ａ４２とガイド軸Ｂ４３によって光軸方向に摺動可能に支持されている。ガイド軸Ａ４２は第３レンズ枠４１のメインのガイド軸でガイド軸Ｂ４３は第３レンズ枠４１の回転規制用であり、第３レンズ枠４１に形成したガイド穴４１ａと４１ｂと摺動可能に嵌っている。
フォーカスモータ４４は固定筒６１の内部で第３レンズ群３３とＣＣＤ３５の側方に配置されＣＣＤホルダ２１に対して固定されている。フォーカスモータ４４の回転駆動力は、フォーカスモータギア４５からフォーカスギア４６、４７を介して送りねじ４８に伝達され、送りねじ４８とナット４９の蝶合関係により第３レンズ枠４１が光軸方向に進退される。フォーカスモータ４４の回転駆動力はフォーカスギア４６、４７によって減速されるため、送りねじ４８は十分な回転トルクを得ることができる。第３レンズ枠４１は第３レンズ枠ばね５０によって光軸方向に付勢されている。フォーカスモータ４４はＣＣＤホルダ２１後方に配設したレンズ駆動用フレキシブルプリント基板５１を介してカメラの制御回路により制御される。
【００１６】
図３に撮影位置におけるレンズ鏡筒２の正面透視図を示す。固定筒６１の上部にはズームモータ８１と減速ギア列８２が配置されている。ズームモータ８１の駆動力は減速ギア列８２を介してズームギア８３に伝達される。ズームギア８３は光軸方向と平行なギア軸８４によって固定筒６１に対し回転可能に支持されている。ズームモータ８１、減速ギア８２、ズームギア８３が、レンズ鏡筒２の繰出し機構における駆動機構部である。ズームモータ８１はＣＣＤホルダ２１後方に配設したレンズ駆動用フレキシブルプリント基板５１を介してカメラの制御回路により制御される。
【００１７】
図４に固定筒６１の外周面側から見た展開図を示す。固定筒６１の内周には回転筒６２をガイドする３本のカム溝６１ａと規制筒６３をガイドする３本のカム溝６１ｂが形成されている。規制筒６３のカム溝６１ａは回転筒６２のカム溝６１ｂより深く形成されている。両カム溝６１ａ、６１ｂは同じカム軌跡を共有する領域６１ｃを有しており、この領域６１ｃでは図５に示すように２段形状のカム溝になっている。
【００１８】
図６に回転筒６２の外周面側から見た展開図を示す。回転筒６２は固定筒６１の内周側に位置し、回転筒６２に設けられた穴部６２ａには３つの回転筒カムフォロアピン６４が挿入されており固定筒６１のカム溝６１ａと係合する。また、回転筒６２の外周には、挿入された３つの回転筒カムフォロアピン６４の近傍位置に固定筒６１のカム溝６１ａとほぼ係合する形状を有する突起部６２ｂが形成されている。この突起部６２ｂの機能は後述する。回転筒６２の外周部にはズームギア８３と噛みあうギア部６２ｃが設けられており、ズームモータ８１、減速ギア８２、ズームギア８３からなる駆動機構の回転駆動力が伝達される。ズームギア８３の回転によって回転筒６２が中心軸Ｊ２まわりに回転すると回転筒６２は固定筒６１のカム溝６１ａに沿って繰出し繰込みされる。
【００１９】
図７に規制筒６３の外周面側から見た展開図を示す。規制筒６３は回転筒６２の内周側に位置し、規制筒６３の外周に設けられた爪部６３ａが回転筒６２の内周に設けられた溝部６２ｄと係合し、回転筒６２に対して相対的に光軸方向への動きは規制されるが互いに回転可能に支持されている。規制筒６３の外周には３つのカムフォロア６３ｂが形成されて固定筒６１のカム溝６１ｂと係合する。規制筒６３のカムフォロア６３ｂは断面形状が図８に示すように平行四辺形になっており、固定筒６１のカム溝６１ｂの直線領域６１ｄ、６１ｅと係合する際にはカムフォロア６３ｂの平面６３ｃが係合し、固定筒６１のカム溝６１ｂの斜面領域６１ｃと係合する際にはカムフォロア６３ｂの平面６３ｄが係合する。
【００２０】
図９にカム筒６５の外周面側から見た展開図を示す。カム筒６５は規制筒の内周側に位置し、外周に３つのカムフォロア６５ａが形成されている。カムフォロア６５ａは規制筒６３の内周に設けられたカム溝６３ｅと係合し、カム筒６５は規制筒６３との相対回転によって、規制筒６３のカム溝６３ｅによって繰出し繰込み動作を行う。また、カム筒６５に設けられた穴部６５ｂには３つのカム筒ガイド軸６６が挿入されており、このカム筒ガイド軸６６は規制筒６３の穴部６３ｆを貫通して回転筒６２内周部の光軸方向に設けられた直進溝６２ｅと係合している。これにより、カム筒６５と回転筒６２は相対回転が不能であるが光軸方向には相対的に動くことができる。
【００２１】
すなわち、回転筒６２と規制筒６３とが相対回転をすれば、カム筒６５が規制筒６３のカム溝６３ｅに沿って繰出し繰込みされる構成となる。
【００２２】
図１０に直進筒６７の外周面側から見た展開図を示す。直進筒６７はカム筒６５の内側に位置し、カム筒６５の内周面に設けられた爪部６５ｃが直進筒６７の外周に設けられた突起部６７ａ、６７ｂに挟み込まれることにより、相対的に光軸方向への動きは規制されるが互いに回転可能に支持されている。直進筒６７の外周面側に設けられたガイド爪部６７ｃは規制筒６３の内周部の光軸方向に設けられた直進溝６３ｇと係合する。これにより、直進筒６７と規制筒６３は相対回転が不能であるが光軸方向には相対的に動くことができる。
【００２３】
図１１に第１レンズ枠６８の外周面側から見た展開図を示す。第１レンズ枠６８はカム筒６５の内側に位置し、第１レンズ群３１を支持している。第１レンズ枠６８に設けられた穴部６８ａには３つの第１レンズ枠カムフォロアピン６９が挿入されており、第１レンズ枠カムフォロアピンの外周側のカムフォロア部６９ａはカム筒６５の内周に設けられたカム溝６５ｄと係合する。また、第１レンズ枠カムフォロアピン６９の内周側のガイド部６９ｂは直進筒６７の光軸方向に設けられた直進ガイド穴６７ｄと係合する。これにより、第１レンズ枠６８は、カム筒６５と直進筒６７との相対回転さらにはカム筒６５と規制筒６３との相対回転によって、直進筒６７および規制筒６３に対して相対回転することなく光軸方向にカム筒６５のカム溝６５ｄに沿って繰出し繰込みされる構成となる。
【００２４】
図１２に第２レンズ枠７０の外周面側から見た展開図を示す。第２レンズ枠７０は直進筒６７の内側に位置し、第２レンズ群３２を支持している。第２レンズ群７０の外周面には３つのカムフォロア７０ａが形成されており、カムフォロア７０ａはカム筒６５の内周に設けられたカム溝６５ｅと係合する。また、第２レンズ枠７０のカムフォロア７０ａの根元部７０ｂは直進筒６７の光軸方向に設けられた直進ガイド穴６７ｅと係合する。これにより、第２レンズ枠７０は、カム筒６５と直進筒６７との相対回転さらにはカム筒６５と規制筒６３との相対回転によって、直進筒６７および規制筒６３に対して相対回転することなく光軸方向にカム筒６５のカム溝６５ｅに沿って繰出し繰込みされる構成となる。
【００２５】
第２レンズ枠７０には被写体側からの入射光を遮るためのシャッタユニット７１が取り付けられる。シャッタユニット７１に設けられたアクチュエータ７１ａをカメラの制御回路と接続するためのシャッタ用フレキシブルプリント基板７２が、シャッタユニット７１からレンズ鏡筒２の内部を通ってＣＣＤホルダ２１後方に配設したレンズ駆動用フレキシブルプリント基板５１に接続される。
【００２６】
第２レンズ枠７０と第１レンズ枠６８の間には群間付勢ばね７３が設けられ、第２レンズ群７０と第１レンズ群６８を光軸方向に沿って互いに引き離す方向に付勢している。
これによって、第１レンズ枠６８とカム筒６５のカム係合部のがたと第２レンズ枠７０とカム筒６５のカム係合部のがたをなくすことができ、光学性能の安定化を図ることができる。
【００２７】
ここで、レンズ鏡筒２の収納位置から撮影位置への繰出し動作について説明する。
【００２８】
図１３に収納位置におけるレンズ鏡筒２の断面図を示す。また、図１４に収納位置におけるレンズ鏡筒２の正面透視図を示す。第１レンズ群３１と第２レンズ群３２の中心軸はＪ３であり、第３レンズ群３３とローパスフィルタ３４とＣＣＤ３５の側方、かつフォーカス駆動機構３の側方で撮影光軸Ｊ1から離れた位置に収納されている。つまり、第１レンズ群３１と第２レンズ群３２、第３レンズ群３３とローパスフィルタ３４とＣＣＤ３５、フォーカス駆動機構３の３つのブロックは光軸に垂直な略同一の平面上に収納されている。
【００２９】
第１レンズ群３１と第２レンズ群３２はレンズ鏡筒２の中心軸Ｊ２を中心に回転しながら光軸方向に繰出され図１に示す撮影位置の状態になる。レンズ鏡筒２の正面から見ると、図１５に示す収納位置の状態から第１レンズ群３１と第２レンズ群３２とがＺ１方向に回転しながら繰出され図１６に示す撮影位置の状態になる。撮影位置では第１レンズ群３１と第２レンズ群３２の中心軸Ｊ３と撮影光軸Ｊ１とが一致するため、レンズ鏡筒２の中心軸Ｊ２と撮影光軸Ｊ１の偏心距離と、レンズ鏡筒２の中心軸Ｊ２と第１レンズ群３１、第２レンズ群３１の中心軸Ｊ３の偏心距離とは等しい。
【００３０】
レンズ鏡筒２の収納位置においては、回転筒６２に挿入された回転筒カムフォロアピン６４は固定筒６１のカム溝の６１（１）位置に、規制筒６３のカムフォロア６３ｂはは固定筒６１のカム溝の６１（１１）位置にある。また、カム筒６５のカムフォロア６５ａは規制筒６３のカム溝の６３（１）位置にあり、第１レンズ枠６８に挿入された第１レンズ枠カムフォロアピン６９はカム筒６５のカム溝の６５（１）位置に、第２レンズ枠７０のカムフォロア７０ａはカム筒６５のカム溝の６５（１１）の位置にある。（図１７、図１８、図１９）
ズームギア８３の回転により回転筒６２が中心軸Ｊ２の回りに回転すると、回転筒カムフォロアピン６４は固定筒６１のカム溝６１（１）位置から６１（２）位置方向に動き光軸方向に繰出されていく。一方規制筒６３は回転筒６２に対して相対的に光軸方向への動きは規制されかつ固定筒６１のカム溝６１ｂによってガイドされているため、固定筒６１のカム溝６１（１１）位置から６１（１２）位置に沿って光軸方向に直進繰出しされる。規制筒６３が固定筒６１のカム溝６１（１１）位置から６１（１２）位置まで動く間は、回転筒６２と規制筒６３との間に相対回転が生じるため、カム筒６５のカムフォロア６５ａは規制筒６３のカム溝６３（１）位置から６３（２）位置方向へ、これと同時にカム筒６５と規制筒６３との間に相対回転が生じるため、第１レンズ枠カムフォロアピン６９はカム筒６５のカム溝６５（１）位置から６５（２）位置方向へ、第２レンズ枠７０のカムフォロア７０ａはカム筒６５のカム溝６５（１１）位置から６５（１２）位置方向へと動く。
【００３１】
回転筒カムフォロアピン６４が固定筒６１のカム溝６１（２）位置に達した時には、規制筒６３のカムフォロア６３ｂは固定筒６１のカム溝６１（１２）位置に、カム筒６５のカムフォロア６５ａは規制筒６３のカム溝６３（２）位置に、第１レンズ群カムフォロアピン６９はカム筒６５のカム溝６５（２）位置に、第２レンズ群７０のカムフォロア７０ａはカム筒６５のカム溝６５（１２）位置にそれぞれ駆動される。
【００３２】
この動きにより、規制筒６３は光軸方向に直進繰出しされ、さらにカム筒６５、第１レンズ枠６８と第２レンズ枠７０も光軸方向に直進繰出しされるので、第１レンズ群３１と第２レンズ群３２とは光軸方向の被写体側に直進繰出しされることになる。
【００３３】
これによって、その後に第１レンズ群３１と第２レンズ群とが回転運動を始める前に、第１レンズ群３１と第２レンズ群３２をその側方にある第３レンズ群３３、ローパスフィルタ３４、ＣＣＤ３５及びフォーカス駆動機構３と干渉しない位置まで直進繰出しすることができる。
【００３４】
回転筒カムフォロアピン６４が固定筒６１のカム溝の６１（２）位置からさらに回転を続け６１（３）位置まで回転筒６２を繰出していくと、規制筒６３のカムフォロア６３ｂは固定筒６１のカム溝の６１（１３）位置に達する。この動作中は、回転筒６２の角度あたりの繰出し量と規制筒６３の角度あたりの繰出し量とが同じになるように固定筒６１のカム溝６１ａ、６１ｂが形成されているため、回転筒６２の規制筒６３の相対回転は発生しない。
【００３５】
このため、回転筒６２、規制筒６３、カム筒６５、直進筒６７、第１レンズ枠６８、第２レンズ枠７０は一体となって中心軸Ｊ２まわりに回転しながら繰出されていく。
【００３６】
この動作の途中で回転筒カムフォロアピン６４が固定筒６１のカム溝の６１（１３）位置を通過する時、固定筒６１のカム溝６１ｂがカム溝６１ａより深く形成されているため、回転筒カムフォロアピン６４は固定筒６１のカム溝６１ａの６１（１４）位置側で係合がなくなるが、回転筒６２に設けられた突起部６２ｂが固定筒６１のカム溝６１ａとほぼ係合しているためスムーズに負荷変動なく繰出されていく。すなわち、回転筒カムフォロアピン６４は固定筒６１のカム溝６１ａに対して主のガイド部であるが、回転筒カムフォロアピン６４が固定筒６１のカム溝の６１（１３）位置を通過する時に限り、従のガイド部である回転筒６２に設けられた突起部６２ｂがガイド機能を果たす。上記の「ほぼ係合」とは、従のガイド部である回転筒６２に設けられた突起部６２ｂの係合が、主のガイド部である回転筒カムフォロアピン６４の係合に対して過拘束になる等のガイド機能を阻害することがない程度に係合している状態のことを示す。
【００３７】
回転筒カムフォロアピン６４が固定筒６１のカム溝の６１（３）位置に、かつ規制筒６３のカムフォロア６３ｂが固定筒６１のカム溝の６１（１３）位置に達したときに、撮影光軸Ｊ１と第１レンズ群３１と第２レンズ群３２の中心軸Ｊ３が一致する。
【００３８】
回転筒カムフォロアピン６４が固定筒６１のカム溝の６１（３）位置からさらに回転を続け６１（４）位置まで回転筒６２を繰出していくと、規制筒６３のカムフォロア６３ｂは固定筒６１のカム溝の６１（１３）位置から６１（１４）位置まで光軸方向に直進繰出しされる。この時の動きは回転筒カムフォロアピン６４が固定筒６１のカム溝の６１（１）位置から６１（２）位置に駆動されるときと同様の関係になる。すなわち、回転筒６２と規制筒６３との間に相対回転が生じカム筒６５のカムフォロア６５ａは規制筒６３のカム溝の６３（２）位置から６３（４）位置に駆動され、カム筒６５と規制筒６３との相対回転が生じ第１レンズ枠カムフォロアピン６９はカム筒６５のカム溝の６５（２）位置から６５（４）位置に、第２レンズ枠７０のカムフォロア７０ａはカム筒６５のカム溝の６５（１２）位置から６５（１４）位置に駆動される。この位置がレンズ鏡筒２の広角側の撮影位置であり、図１の断面図に相当する位置である。
【００３９】
次に広角側の撮影位置から望遠側の撮影位置までのズーミング動作について説明する。
【００４０】
ズームギア８３の回転により回転筒６２が回転し、回転筒カムフォロアピン６４は固定筒６１のカム溝の６１（４）位置（広角側の撮影位置に相当する位置）から６１（５）位置（望遠側の撮影位置に相当する位置）まで駆動される。この範囲の固定筒６１のカム溝は光軸方向に対して垂直方向に形成されているため、回転筒６２は光軸方向に繰出されることなく回転軸Ｊ２まわりに回転し、規制筒６３は停止したままとなる。この動作中は回転筒６２と規制筒６３との間で相対回転が生じるのでカム筒６５のカムフォロア６５ａは規制筒６３のカム溝の６３（４）位置から６３（５）位置まで駆動され、カム筒６５と規制筒６３との間で相対回転が生じるので第１レンズ枠カムフォロアピン６９はカム筒６５のカム溝の６５（４）位置から６５（５）位置まで、第２レンズ枠７０のカムフォロア７０ａはカム筒６５のカム溝の６５（１４）位置から６５（１５）位置までそれぞれのカム溝にガイドされて駆動される。規制筒６３は停止しているので、第１レンズ群３１を支持している第１レンズ枠６８と第２レンズ群７０を支持している第２レンズ群７０は中心軸Ｊ２まわりに回転することなく光軸方向にそれぞれ進退する。カム筒６５と規制筒６３のそれぞれのカム溝は、広角側から望遠側までの間で焦点距離が順次可変になるような形状で形成されている。図２０は望遠側の撮影位置におけるレンズ鏡筒２の断面図である。
【００４１】
望遠側の撮影位置から広角側の撮影位置方向への駆動は、ズームギア８３を逆方向に回転させれば良いため、ズームギア８３を駆動するズームモータ８１の制御により任意の焦点距離を得ることができる。また、広角側の撮影位置から収納位置までの駆動についても、ズームギア８３を逆方向に回転させれば上記説明の反対方向の動作を行うので図１３に示す収納状態へと導くことができる。
【００４２】
図２１に回転筒６２の回転角度とレンズ鏡筒２の各移動部材の光軸方向移動距離との関係図を示す。横軸は回転筒６２の回転角度であり、縦軸は回転筒６２、規制筒６３、カム筒６５、第２レンズ枠７０、第１レンズ枠６８の光軸方向への絶対的な移動距離である。各移動部材の移動時の通過ポイントに対応するカム溝の位置（図１７、図１８、図１９）を図２１中に示す。図２１によりレンズ鏡筒２の各移動部材の光軸方向移動の関係を理解することができる。
【００４３】
ここでシャッタユニット７１とシャッタ用フレキシブルプリント基板７２について説明する。図２２にシャッタユニット７１とシャッタ用フレキシブルプリント基板７２の正面図を示す。図２２のシャッタ用フレキシブルプリント基板７２は組み込まれる前の状態、すなわち展開図である。図２３にシャッタユニット７１の断面図を示す。シャッタユニット７１は被写体側からの入射光を遮るためのシャッタ羽根７１ｂと被写体側からの入射光量を規制するための絞り羽根７１ｃを備えている。シャッタ羽根７１ｂと絞り羽根７１ｃを駆動するシャッタユニット７１内のアクチュエータ７１ａは、シャッタユニット７１に接続されたシャッタ用フレキシブルプリント基板７２によってカメラ制御回路と接続され、駆動制御される。
【００４４】
図２４に収納位置におけるレンズ鏡筒２内のシャッタユニット７１とシャッタ用フレキシブルプリント基板７２の断面図を示す。シャッタユニット７１はシャッタ開口部７１ｄの中心軸Ｊ５が第２レンズ群３２の中心軸Ｊ３と一致するように第２レンズ群７０に対して固定されている。シャッタ用フレキシブルプリント基板７２の７２ｄ部は直進筒６７のＣＣＤホルダ２１側の平面部６７ｆに固定されており、７２ｃ部は直進筒６７の内周部６７ｇに固定されている。また、シャッタ用フレキシブルプリント基板７２の７２ａ部は第２レンズ群７０の７０ｃ部に固定され、７２ｆ部はレンズ駆動用フレキシブルプリント基板５１にはんだ接続され固定されている。
【００４５】
図２５に図２４のＢ方向からシャッタユニット７１とシャッタ用フレキシブルプリント基板７２を見たときの透視図を示す。図２２に示すシャッタ用フレキシブルプリント基板７２の７２ａ部、７２ｂ部、７２ｃ部、７２ｄ部、７２ｅ部、７２ｆ部は、収納位置では図２５に示す状態にある。
【００４６】
シャッタ用フレキシブルプリント基板７２がレンズ鏡筒２内で撓む動きを説明する。シャッタユニット７１は第２レンズ群７０に固定されているため、上記に説明したレンズ鏡筒２の繰出し機構（シャッタユニット駆動機構）により駆動される。ここで、直進筒６７はシャッタユニット７１に対して相対的に光軸方向の直進動作を許容するが、相対的に回転方向の動作を規制する直進規制部材である。
【００４７】
レンズ鏡筒２が収納位置から広角側の撮影位置まで繰出される時は、直進筒６７と第２レンズ枠７０は光軸方向への直進動作とレンズ鏡筒２の中心軸Ｊ２まわりの回転動作を行う。シャッタ用フレキシブルプリント基板７２の７２ｆ部は固定されており７２ｄ部は直進筒６７とともに繰出されていくため、その中間の７２ｅ部が回転方向に撓む。図２６にこれらの動作を図２５のＣ方向から見た場合の簡略図を示す。収納位置の状態を実線部で、広角側の撮影位置の状態を破線部で示す。直進筒６７は矢印Ｄのような動きで直進と回転を行うため、シャッタ用フレキシブルプリント基板７２の７２ｅ部は広角側の撮影位置で図２６のように撓み、回転方向の移動距離を吸収する。
【００４８】
図２７に広角側の撮影位置におけるレンズ鏡筒２内のシャッタユニット７１とシャッタ用フレキシブルプリント基板７２の断面図を示す。図２８に図２７のＥ方向からシャッタユニット７１とシャッタ用フレキシブルプリント基板７２を見たときの透視図を示す。レンズ鏡筒２が収納位置から広角側の撮影位置まで繰出される時には第２レンズ枠７０は直進筒６７に対して光軸方向に直進運動するが、シャッタ用フレキシブルプリント基板７２の７２ｃ部が直進筒６７に固定され７２ａ部が第２レンズ枠７０に固定されているため、その中間の７２ｂ部が図２４から図２７のように撓み、光軸方向の相対的な移動距離を吸収する。
【００４９】
撮影位置でレンズ鏡筒２が広角側から望遠側の間でズーミング動作する時は、第２レンズ枠７０に固定されたシャッタユニット７１は直進筒６７に対して相対的に光軸方向に移動する。図２９に望遠側の撮影位置におけるレンズ鏡筒２内のシャッタユニット７１とシャッタ用フレキシブルプリント基板７２の断面図を示す。ズーミング動作中は、シャッタ用フレキシブルプリント基板７２の７２ｂ部が図２７から図２９のように撓むため、光軸方向の移動距離を吸収することができる。
【００５０】
上記の構成により、シャッタユニット７１がレンズ鏡筒２の中心軸Ｊ２まわりに回転する時にはシャッタフレキシブルプリント基板７２の７２ｅ部が撓むことにより回転方向距離を吸収し、シャッタユニット７１が直進筒６７に対して光軸方向に直進移動する時にはシャッタフレキシブルプリント基板７２の７２ｂ部が撓むことにより直進方向距離を吸収する構成が実現できる。
【００５１】
また、第２レンズ枠７０とシャッタユニット７１とがレンズ鏡筒２の中心軸まわりに回転して収納できる構成を実現できるため、レンズ鏡筒２の薄型化を図ることができる。
【００５２】
以上本発明の実施形態について説明してきたが、本発明は上記実施形態に限定されるものではなく、様々な変形が可能である。
【００５３】
例えば、本実施形態では撮影光軸Ｊ１とレンズ鏡筒２の中心軸Ｊ２が偏心しているレンズ鏡筒２について本発明を適用したものであるが、撮影光軸Ｊ１とレンズ鏡筒２の中心軸Ｊ２が一致しているレンズ鏡筒２にも適用することができる。
【００５４】
また、本実施例ではフレキシブルプリント基板７２の７２ｃ部、７２ｄ部が直進筒６７に固定されているが、直進筒６７と同様にシャッタユニット７１に対する直進規制部材である規制筒６３に７２ｃ部、７２ｄ部を固定しても、同様の効果を得ることができる。
【００５５】
また、シャッタユニット７１は第２レンズ枠７０に必ずしも固定されている必要はなく、他のレンズ枠に固定されていても、シャッタユニット単独で直進および回転運動するものであっても本発明を適用することができる。
【００５６】
また、本実施形態ではズームレンズ鏡筒について本発明を適用したものであるが、収納位置から回転繰出しされて撮影位置で撮影光軸方向にフォーカシングを行うようなズーム動作を行わない鏡筒、いわゆる単焦点レンズ鏡筒に対しても適用可能である。
【産業上の利用可能性】
【００５７】
レンズ鏡筒内でのシャッタユニットの動きに制約を与えない構成を実現でき、薄型化が図れ携帯性にすぐれたカメラを提供できるので、カメラ分野で利用価値が高い。
【図面の簡単な説明】
【００５８】
【図１】広角側の撮影位置におけるレンズ鏡筒の断面図である。
【図２】レンズ鏡筒のフォーカス駆動機構の断面図である。
【図３】撮影位置におけるレンズ鏡筒の正面透視図である。
【図４】固定筒の外周面側から見た展開図である。
【図５】固定筒のカム溝部の断面図である。
【図６】回転筒の外周面側から見た展開図である。
【図７】規制筒の外周面側から見た展開図である。
【図８】規制筒カムフォロア部の断面図である。
【図９】カム筒の外周面側から見た展開図である。
【図１０】直進筒の外周面側から見た展開図である。
【図１１】第１レンズ枠の外周面側から見た展開図である。
【図１２】第２レンズ枠の外周面側から見た展開図である。
【図１３】収納位置におけるレンズ鏡筒の断面図である。
【図１４】収納位置におけるレンズ鏡筒の正面透視図である。
【図１５】収納位置におけるレンズ鏡筒の正面図である。
【図１６】撮影位置におけるレンズ鏡筒の正面図である。
【図１７】固定筒のカム溝位置の指示図である。
【図１８】規制筒のカム溝位置の指示図である。
【図１９】カム筒のカム溝位置の指示図である。
【図２０】望遠側の撮影位置におけるレンズ鏡筒の断面図である。
【図２１】回転筒回転角度と各移動部材の光軸方向移動距離との関係図である。
【図２２】シャッタユニットとシャッタ用フレキシブルプリント基板の正面図である。
【図２３】シャッタユニットの断面図である。
【図２４】収納位置におけるレンズ鏡筒内のシャッタユニット部の断面図である。
【図２５】図２４のＢ方向から見たシャッタユニット部の透視図である。
【図２６】図２５のＣ方向から見たシャッタ用フレキシブルプリント基板の簡略図である。
【図２７】広角側の撮影位置におけるレンズ鏡筒内のシャッタユニット部の断面図である。
【図２８】図２７のＥ方向から見たシャッタユニット部の透視図である。
【図２９】望遠側の撮影位置におけるレンズ鏡筒内のシャッタユニット部の断面図である。
【符号の説明】
【００５９】
１  ボディ本体
２  レンズ鏡筒
３  フォーカス駆動機構
２１  ＣＣＤホルダ
３１  第１レンズ群
３２  第２レンズ群
３３  第３レンズ群
３４  ローパスフィルタ
３５  ＣＣＤ
４１  第３レンズ群
４４  フォーカスモータ
６１  固定筒
６２  回転筒
６３  規制筒
６４  回転筒カムフォロアピン
６５  カム筒
６６  カム筒ガイド軸
６７  直進筒
６８  第１レンズ枠
６９  第１レンズ枠カムフォロアピン
７０  第２レンズ枠
７１  シャッタ
７２  シャッタ用フレキシブルプリント基板
８１  ズームモータ
８３  ズームギア
【図１】
2005326631.tif 000003
【図２】
2005326631.tif 000004
【図３】
2005326631.tif 000005
【図４】
2005326631.tif 000006
【図５】
2005326631.tif 000007
【図６】
2005326631.tif 000008
【図７】
2005326631.tif 000009
【図８】
2005326631.tif 000010
【図９】
2005326631.tif 000011
【図１０】
2005326631.tif 000012
【図１１】
2005326631.tif 000013
【図１２】
2005326631.tif 000014
【図１３】
2005326631.tif 000015
【図１４】
2005326631.tif 000016
【図１５】
2005326631.tif 000017
【図１６】
2005326631.tif 000018
【図１７】
2005326631.tif 000019
【図１８】
2005326631.tif 000020
【図１９】
2005326631.tif 000021
【図２０】
2005326631.tif 000022
【図２１】
2005326631.tif 000023
【図２２】
2005326631.tif 000024
【図２３】
2005326631.tif 000025
【図２４】
2005326631.tif 000026
【図２５】
2005326631.tif 000027
【図２６】
2005326631.tif 000028
【図２７】
2005326631.tif 000029
【図２８】
2005326631.tif 000030
【図２９】
2005326631.tif 000031